(57)【要約】【課題】使用しないときは両手袋が互いに離れないようにして片方の手袋の紛失をできるだけ少なくすると共に保管や整理もし易い一組の手袋を提供する。【解決手段】各指を包む指筒部１，２，３，４，５と手の平及び手の甲を包む胴筒部６と手首を包む手首筒部７とからなり左右の手に嵌めて使用する一組の手袋Ａ１，Ａ２であって、両手袋Ａ１，Ａ２の手首筒部７側にこれら両手袋Ａ１，Ａ２を自在に連結または分離する連結手段８ａ，８ｂが設けられている。【選択図】図１
0003175836.tif 000002
【実用新案登録請求の範囲】
【請求項１】
各指を包む指筒部と手の平及び手の甲を包む胴筒部と手首を包む手首筒部とからなり左右の手に嵌めて使用する一組の手袋であって、両手袋の手首筒部側にこれら両手袋を自在に連結または分離する連結手段が設けられていることを特徴とする一組の手袋。
【請求項２】
各指を包む指筒部と手の平及び手の甲を包む胴筒部と手首を包む手首筒部とからなり左右の手に嵌めて使用する一組の手袋であって、両手袋の手首筒部側にこれら両手袋を自在に連結または分離する連結手段が設けられ、
前記連結手段は、一方の手袋の手首筒部に設けられる雄型ホックと、他方の手袋の手首筒部に設けられ前記雄型ホックと係脱自在に係合する雌型ホックと、からなることを特徴とする一組の手袋。
【請求項３】
各指を包む指筒部と手の平及び手の甲を包む胴筒部と手首を包む手首筒部とからなり左右の手に嵌めて使用する一組の手袋であって、両手袋の手首筒部側にこれら両手袋を自在に連結または分離する連結手段が設けられ、
前記連結手段は、一方の手袋の手首筒部から外側へ延設した帯片に設けられる雄型ホックと、他方の手袋の手首筒部から外側へ延設した帯片に設けられ前記雄型ホックと係脱自在に係合する雌型ホックと、からなることを特徴とする一組の手袋。
【請求項４】
各指を包む指筒部と手の平及び手の甲を包む胴筒部と手首を包む手首筒部とからなり左右の手に嵌めて使用する一組の手袋であって、両手袋の手首筒部側にこれら両手袋を自在に連結または分離する連結手段が設けられ、
前記連結手段は、両手袋の手首筒部に設けられる鳩目と、これら両鳩目に挿脱自在に挿入されるカラビナと、からなることを特徴とする一組の手袋。
【請求項５】
各指を包む指筒部と手の平及び手の甲を包む胴筒部と手首を包む手首筒部とからなり左右の手に嵌めて使用する一組の手袋であって、
前記手袋は、所定の糸を地編糸にして手首筒部をゴム編すると共に該手首筒部以外の部分を平編としてファインゲージで編成され、また前記平編部分の少なくとも一部が伸縮性糸を添え糸にし且つ該添え糸が該手袋の裏面に現出するように添え糸編され、裏返されたとき、その表面には各指の長手方向と直交する方向に平行となる凸条が横縞模様状に現れるように編成されており、
前記両手袋の手首筒部側にこれら両手袋を自在に連結または分離する連結手段が設けられていることを特徴とする一組の手袋。
【考案の詳細な説明】
【技術分野】
【０００１】
本考案は、左右の手袋のうち、片方の手袋の紛失をできるだけ少なくするようにした一組の手袋に関するものである。
【背景技術】
【０００２】
手袋は、通常、左右一組になっていて、左手と右手の両手に装着して使用することが一般的であり、その用途として、防寒用、作業用など種々のものが存在している（例えば、特許文献１乃至２参照。）。
【先行技術文献】
【特許文献】
【０００３】
【特許文献１】実用新案登録第３１２４６６８号公報
【特許文献２】実用新案登録第３１５４６８７号公報
【考案の概要】
【考案が解決しようとする課題】
【０００４】
上記のとおり、手袋は、種々の用途に使用されるが、例えば、防寒用の手袋の場合には、外出中に装着し室内では外し、作業用手袋の場合には、作業時に装着し作業時以外には外すというように、結構な頻度で脱着することになる。その一方で、手袋は、比較的小さいため、手袋を外した際の管理が不注意になり易く、片方の手袋をどこかに置き忘れるなどして、片方の手袋のみを紛失してしまうことがある。
【０００５】
そこで、本考案は、片方の手袋のみを紛失してしまうことがないようにした一組の手袋を提供することを目的としている。
【課題を解決するための手段】
【０００６】
かかる目的を達成するために、本考案に係る一組の手袋は、各指を包む指筒部と手の平及び手の甲を包む胴筒部と手首を包む手首筒部とからなり左右の手に嵌めて使用する一組の手袋であって、両手袋の手首筒部側にこれら両手袋を自在に連結または分離する連結手段が設けられていることを特徴とする。
【０００７】
具体的には、本考案に係る一組の手袋は、各指を包む指筒部と手の平及び手の甲を包む胴筒部と手首を包む手首筒部とからなり左右の手に嵌めて使用する一組の手袋であって、両手袋の手首筒部側にこれら両手袋を自在に連結または分離する連結手段が設けられ、前記連結手段は、一方の手袋の手首筒部に設けられる雄型ホックと、他方の手袋の手首筒部に設けられ前記雄型ホックと係脱自在に係合する雌型ホックと、からなることを特徴とする。
【０００８】
また、本考案に係る一組の手袋は、各指を包む指筒部と手の平及び手の甲を包む胴筒部と手首を包む手首筒部とからなり左右の手に嵌めて使用する一組の手袋であって、両手袋の手首筒部側にこれら両手袋を自在に連結または分離する連結手段が設けられ、前記連結手段は、一方の手袋の手首筒部から外側へ延設した帯片に設けられる雄型ホックと、他方の手袋の手首筒部から外側へ延設した帯片に設けられ前記雄型ホックと係脱自在に係合する雌型ホックと、からなることを特徴とする。
【０００９】
更に、本考案に係る一組の手袋は、各指を包む指筒部と手の平及び手の甲を包む胴筒部と手首を包む手首筒部とからなり左右の手に嵌めて使用する一組の手袋であって、両手袋の手首筒部側にこれら両手袋を自在に連結または分離する連結手段が設けられ、前記連結手段は、両手袋の手首筒部に設けられる鳩目と、これら両鳩目に挿脱自在に挿入されるカラビナと、からなることを特徴とする。
【００１０】
更にまた、本考案に係る一組の手袋は、各指を包む指筒部と手の平及び手の甲を包む胴筒部と手首を包む手首筒部とからなり左右の手に嵌めて使用する一組の手袋であって、前記手袋は、所定の糸を地編糸にして手首筒部をゴム編すると共に該手首筒部以外の部分を平編としてファインゲージで編成され、また前記平編部分の少なくとも一部が伸縮性糸を添え糸にし且つ該添え糸が該手袋の裏面に現出するように添え糸編され、裏返されたとき、その表面には各指の長手方向と直交する方向に平行となる凸条が横縞模様状に現れるように編成されており、前記両手袋の手首筒部側にこれら両手袋を自在に連結または分離する連結手段が設けられていることを特徴とする。
なお、ここにいう「平編部分の少なくとも一部」とは、平編部分の一部、例えば、胴筒部のみを添え糸編する場合、指筒部の指先以外の部分を添え糸編する場合、あるいは、平編み部分の全体を添え糸編するなどの種々の態様を含むことを意味する。
【００１１】
上記した「連結手段」としては、他に雄型貼り合せファスナーと雌型貼り合せファスナー、ボタンとボタンホール、ナス環とリングといった組合せを選択することも可能である。
【考案の効果】
【００１２】
本考案に係る一組の手袋は、手袋を使用しない時には、連結手段により両手袋を離れないように繋いでおけるので、常に一組の手袋として扱うことができ、これら手袋のうち、片方の手袋を紛失してしまうという事態を解消することができる。
【図面の簡単な説明】
【００１３】
【図１】本考案に係る第一実施形態の一組の手袋であって雄・雌型ホックを外し分離した状態の斜視図。
【図２】同一組の手袋であって雄・雌型ホックを係合し連結した状態の斜視図。
【図３】（イ）は雄・雌型ホックを外した状態の連結手段部位の拡大縦断面図、（ロ）は係合した状態の連結手段部位の拡大縦断面図。
【図４】本考案に係る第二実施の形態に係る一組の手袋であって分離した状態の斜視図。
【図５】同一組の手袋であって連結した状態の斜視図。
【図６】本考案に係る第三実施の形態に係る一組の手袋であって分離した状態の斜視図。
【図７】同一組の手袋であって連結した状態の斜視図。
【考案を実施するための形態】
【００１４】
以下、本考案に係る一組の手袋の最良の実施の形態について図面を参照しながら説明する。図１は本考案に係る第一実施形態の一組の手袋であって雄・雌型ホックを外し分離した状態の斜視図、図２は同一組の手袋であって雄・雌型ホックを係合し連結した状態の斜視図である。なお、この実施の形態では、作業用手袋を例として説明する。
【００１５】
一組の手袋Ａ１，Ａ２は、共に所定の編み糸により編成することにより親指、人差し指、中指、薬指、小指をそれぞれ包む指筒部１，２，３，４，５と、これら指筒部１，２，３，４，５と連なり手の平と手の甲を包む胴筒部６と、該胴筒部６と連なり手首を包む手首筒部７と、から構成されている。
【００１６】
そして、該手袋は、所定の編み糸として綿糸が使用され、該綿糸を地編糸にして１３〜１５ゲージのファインゲージによって、手首筒部７をゴム編とし、手首筒部７以外を平編に編成している。なお、前記所定の糸は、綿糸のほかに、麻糸，毛糸，絹糸，レーヨン糸，ウーリーナイロン糸，ポリエステル糸，ポリウレタン糸，これらの混紡糸、例えばＴＣ混紡糸などを用いてもよい。また、ファインゲージは１３〜１５ゲージとしたが、それ以上のゲージであっても良い。
【００１７】
また、前記の手袋の平編部分には各指筒部１〜５の指先、すなわち第１関節を除く全体にウーリーナイロン糸又はポリウレタン糸のような伸縮性糸を添え糸にし、この添え糸が手袋の裏面にだけ現出するようにして添え糸編し、手袋の裏面に凸条を横縞模様状に形成している。そして、このように編成した手袋を裏返して、その表面に添え糸編による凸条が横縞模様状に現出されるようにしている。なお、前記添え糸は伸縮性糸であれば他の化学繊維であっても良い。
【００１８】
上記のように編成された手袋のうち、左手用の手袋Ａ１における手の平側の手首筒部７の外周面には、連結手段としての雄型ホック８ａが固着されている。一方、右手用の手袋Ａ２における手の平側の手首筒部７の外周面には、前記雄型ホック８ａと対応位置して該雄型ホック８ａが係脱自在に係合する連結手段としての雌型ホック８ｂが固着されている。
【００１９】
図３に示すように前記雄型ホック８ａは、雌型ホック８ｂと対向する面に弾性を備えた嵌合筒部９が突設されると共に先端外周面に環状凸条１０が周設されている。これに対し、前記雌型ホック８ｂは、雄型ホック８ａと対向する面に嵌合筒部１１が突設されると共に先端内周面に前記環状凸条１０が自在に嵌脱する環状凹条１２が周設されている。
【００２０】
一組の手袋Ａ１，Ａ２を使用するときは、図３（イ）に示すように雄型ホック８ａと雌型ホック８ｂとの係合を外しておく。逆に、一組の手袋Ａ１，Ａ２を使用しないときは、環状凸条１０と環状凹条１２を向かい合わせこれらを両側から挟むように押えて互いに嵌合させ、図３（ロ）に示すように雄型ホック８ａと雌型ホック８ｂとを係合させておく。
【００２１】
本実施形態の一組の手袋は上記構成からなり、作業をするときは雄・雌型ホック８ａ，８ｂが外れた状態で両手袋Ａ１，Ａ２をそれぞれ左手と右手に装着して使用する。このとき、雄・雌型ホック８ａ，８ｂは共に手首筒部７に固着位置しているので、両手袋Ａ１，Ａ２を嵌めた手で荷物を持ったりした場合でも、雄・雌型ホック８ａ，８ｂが邪魔になってしまうようなことはない。
【００２２】
他方、作業をしないときは、両手袋Ａ１，Ａ２を左右の手から外して雄・雌型ホック８ａ，８ｂを互いに係合させる。これにより、両手袋Ａ１，Ａ２が繋がれ離れることはなく、常に一組の手袋Ａ１，Ａ２として扱うことができ、片方の手袋Ａ１または手袋Ａ２の紛失をできるだけ少なくすることができる。また、図示は省略するが両手袋Ａ１，Ａ２は、繋ぐことにより例えばロッカー内に設けられたフックに両手袋Ａ１，Ａ２間の雄・雌型ホック８ａ，８ｂの係合部分を掛け止めして吊るすことができ、整理や保管がし易くなる。
【００２３】
図４、図５は、第二実施の形態の一組の手袋を示すものである。図４は同一組の手袋であって分離した状態の斜視図、図５は同一組の手袋であって連結した状態の斜視図である。
【００２４】
なお、第二実施の形態の一組の手袋Ｂ１，Ｂ２と、前述した第一実施の形態の一組の手袋Ａ１，Ａ２とは多くの構成が共通するので、共通部分は同一番号を付すことにより詳しい説明は省略する。
【００２５】
第二実施の形態の一組の手袋にあっては、左手用の手袋Ｂ１における手首筒部７の内周面に帯片１３の一端部が縫着され、その他端部が外側へ延設されている。そして、該帯片１３の他端側の一側面に連結手段としての雄型ホック８ａが固着されている。一方、右手用の手袋Ｂ２における手首筒部７の内周面にも帯片１３の一端部が縫着され、その他端部が外側へ延設されている。そして、該帯片１３の他端側の一側面に、前記雄型ホック８ａと対応位置して該雄型ホック８ａが係脱自在に係合する連結手段としての雌型ホック８ｂが固着されている。
【００２６】
この場合も、作業をするときは雄・雌型ホック８ａ，８ｂを外した状態で、それぞれの手袋Ｂ１，Ｂ２を左手と右手に嵌めて使用する。雄・雌型ホック８ａ，８ｂは共に手首筒部７側であってそこから外側へ延設された帯片１３に取り付けられているので、両手袋Ｂ１，Ｂ２を装着した手で荷物を持ったりした場合でも、雄・雌型ホック８ａ，８ｂの固着された帯片１３が邪魔になるようなことはない。
【００２７】
他方、作業をしないときは、両手袋Ｂ１，Ｂ２を左右の手から外して雄・雌型ホック８ａ，８ｂを互いに係合させる。これにより、両手袋Ｂ１，Ｂ２が繋がれ離れることはなく、常に一組の手袋Ｂ１，Ｂ２として扱うことができ、片方の手袋Ｂ１または手袋Ｂ２の紛失をできるだけ少なくすることができる。また、図示は省略するが両手袋Ｂ１，Ｂ２は、繋ぐことにより例えばロッカー内に設けられたフックに両帯片１３，１３を掛け止めして吊るすことができ、整理や保管がし易くなる。
【００２８】
また、一組の手袋Ｂ１，Ｂ２にあっては、特に手首筒部７から帯片１３を外側へ延設し、該帯片１３に雄型ホック８ａまたは雌型ホック８ｂを固着するようにしているので、雄型ホック８ａと雌型ホック８ｂとがそれぞれ両手袋Ｂ１，Ｂ２から離れることになり、その係脱動作がし易い。また、保管のため前記のようなフックにも吊るし易い。
【００２９】
図６、図７は、第三実施の形態の一組の手袋を示すものである。図６は同一組の手袋であって分離した状態の斜視図、図７は同一組の手袋であって連結した状態の斜視図である。
【００３０】
第三実施の形態の一組の手袋Ｃ１，Ｃ２も前記第一実施の形態の一組の手袋Ａ１，Ａ２と多くの構成が共通するので、共通部分は同一番号を付すことにより詳しい説明は省略する。
【００３１】
第三実施の形態の一組の手袋Ｃ１，Ｃ２にあっては、左手用の手袋Ｃ１と右手用の手袋Ｃ２とにおける手の平側の手首筒部７に連結手段としての鳩目１４がそれぞれ設けられている。そして、この場合は一組の手袋Ｃ１，Ｃ２を連結するため、前記両鳩目１４，１４に挿脱自在に挿通される連結手段としてのカラビナ１５が用いられる。カラビナ１５は、例えば金属材料または合成樹脂材料から成形され、基本構成として一部に開口部１６を有する略Ｃ字状の杆本体１７と、開口部１６の一側であって杆本体１７の一端部１７ａに回動自在に軸着され該開口部１６を自在に開閉する開閉杆１８と、該開閉杆１８に装着される筒状ナット１９と、からなっている。そして、筒状ナット１９は正・逆回転させることにより開閉杆１８に沿って進退動するようになっており、筒状ナット１９が前進して杆本体１７の他端部１７ｂに達すると開閉杆１８が拘束され該開閉杆１８により開口部１６が閉ざされる。また、筒状ナット１９が後退して杆本体１７の他端部１７ｂから外れると、開閉杆１８が自由に回動するようになり開口部１６が開かれる。
【００３２】
この場合、作業をするときは両鳩目１４，１４からカラビナ１５を抜き取った状態で、それぞれの手袋Ｃ１，Ｃ２を左手と右手に嵌めて使用する。このときも、各鳩目１４は共に手首筒部７に固着位置しているので、両手袋Ｃ１，Ｃ２を嵌めた手で荷物を持ったりした場合でも、鳩目１４，１４が邪魔になってしまうようなことはない。なお、カラビナ１５は例えば着衣のポケットにしまっておく。
【００３３】
他方、作業をしないときは、両手袋Ｃ１，Ｃ２を左右の手から外し各鳩目１４，１４に開口部１６を介してカラビナ１５の杆本体１７を挿通し、筒状ナット１９を前進させ開閉杆１８を拘束することにより開口部１６を閉じておく。これにより、両手袋Ｃ１，Ｃ２が繋がれ離れることはなく、常に一組の手袋Ｃ１，Ｃ２として扱うことができ、片方の手袋Ｃ１または手袋Ｃ２の紛失をできるだけ少なくすることができる。また、図示は省略するが両手袋Ｃ１，Ｃ２は、繋ぐことにより例えばロッカー内に設けられたフックにカラビナ１５を掛け止めして吊るすことができ、整理や保管がし易くなる。
【００３４】
前記第三実施の形態では、両手袋Ｃ１，Ｃ２の双方に鳩目を設けた例を説明したが、片方の手袋に鳩目を設け、他方の手袋にカラビナを固着して使用することも可能である。
【００３５】
なお、本考案では、作業用手袋を例として説明したが、これ以外の用途に使用する手袋にも適用できることは勿論である。すなわち、本考案は、一組の手袋全般に使用することができる。
【符号の説明】
【００３６】
１〜５        指筒部
６            胴筒部
７            手首筒部
８ａ          連結手段（雄型ホック）
８ｂ          連結手段（雌型ホック）
１３          帯片
１４          連結手段（鳩目）
１５          連結手段（カラビナ）
Ａ１          左手用の手袋
Ａ２          右手用の手袋
Ｂ１          左手用の手袋
Ｂ２          右手用の手袋
Ｃ１          左手用の手袋
Ｃ２          右手用の手袋
【図１】
0003175836.tif 000003
【図２】
0003175836.tif 000004
【図３】
0003175836.tif 000005
【図４】
0003175836.tif 000006
【図５】
0003175836.tif 000007
【図６】
0003175836.tif 000008
【図７】
0003175836.tif 000009